(57)【要約】【課題】静止誘導電器の低騒音化を合理的に実現する。【解決手段】  実施の形態の静止誘導電器は、複数の筐体及び騒音抑制部を備えている。複数の筐体は、巻線及び鉄心を含むモジュールをそれぞれ収容し互いに隙間を空けた状態で配列されている。騒音抑制部は、複数の筐体どうしの互いに対向する部位にそれぞれ設けられている。また、騒音抑制部は、前記対向する部位の下側よりも上側がより離れるように傾斜した傾斜面を有している。【選択図】図１
2013143476.tif 000002
【特許請求の範囲】
【請求項１】
巻線及び鉄心を含むモジュールをそれぞれ収容し互いに隙間を空けた状態で配列された複数の筐体と、
前記複数の筐体どうしの互いに対向する部位にそれぞれ設けられ、前記対向する部位の下側よりも上側がより離れるように傾斜した傾斜面を有する騒音抑制部と、
を具備する静止誘導電器。
【請求項２】
前記騒音抑制部は、前記傾斜面を構成しかつ前記筐体どうしの前記対向する部位にそれぞれ取り付けられた第１の遮音板を備える請求項１記載の静止誘導電器。
【請求項３】
下側よりも上側がより離れるように傾斜した傾斜面をそれぞれ有し、互いに対向する一組の前記第１の遮音板と協働して当該一組の第１の遮音板どうしの間の空間の側面全周を包囲する一組の第２の遮音板と、
前記側面全周が包囲された空間の低面を塞ぐ第３の遮音板と、
をさらに具備する請求項２記載の静止誘導電器。
【請求項４】
前記第１の遮音板は、前記筐体どうしの前記対向する部位のそれぞれに複数個ずつ分割して取り付けられている請求項２記載の静止誘導電器。
【請求項５】
前記筐体どうしの前記対向する部位を少なくとも含んだ当該各筐体の外形部分にそれぞれ接合された補強部材をさらに備え、
前記分割して取り付けられる複数の前記第１の遮音板は、前記補強部材を避けた位置にそれぞれ取り付けられている請求項４記載の静止誘導電器。
【請求項６】
前記筐体と前記第１の遮音板との間に介在された吸音材をさらに備える請求項２ないし５のいずれか１項に記載の静止誘導電器。
【請求項７】
前記筐体と前記第１の遮音板との間に密閉空間を構成する第４の遮音板をさらに備え、
前記密閉空間内には、流動性を有する物質が充填されている請求項２ないし５のいずれか１項に記載の静止誘導電器。
【発明の詳細な説明】
【技術分野】
【０００１】
本発明の実施形態は、静止誘導電器に関する。
【背景技術】
【０００２】
近年、環境保護などの観点から騒音に対する規制が厳しくなってきており、変圧器などの静止誘導電器は、低騒音化が要望されている。静止誘導電器の騒音は、タンク内に収容された巻線や鉄心が静止誘導電器の稼働時に振動し、このときの振動音がタンクの周囲に放散されることで発生する。そこで、タンクの周囲に遮音板などを配置する対策が、従来から実施されている。
【０００３】
ところで、この種の静止誘導電器としては、三相分のコイルおよび鉄心を１つのタンクに収納した三相一括形のものと、一相分のコイルおよび鉄心を１つのタンクに収納し、これらのタンクを必要な台数並べる分割形のものとがある。分割形の静止誘導電器は、運搬作業や据付作業の負担を軽減できるメリットを有している。
【先行技術文献】
【特許文献】
【０００４】
【特許文献１】特開平１０−１４９９２０号公報
【特許文献２】特開平９−３１２２１６号公報
【発明の概要】
【発明が解決しようとする課題】
【０００５】
しかしながら、分割形の静止誘導電器は、複数のタンクに分割して収容された巻線を、例えばダクトを利用してそれぞれ結線する必要があるため、タンクどうしが互いに近接した状態で配列されている。このため、あるタンクで発生した騒音が、対向する他のタンクの側面で反射し、さらに、これらのタンク間で繰り返し反射した騒音が重なり合って共鳴現象が起こり、騒音を増幅させてしまう場合がある。
【０００６】
そこで、本発明が解決しようとする課題は、低騒音化を合理的に実現する静止誘導電器を提供することである。
【課題を解決するための手段】
【０００７】
実施の形態の静止誘導電器は、複数の筐体及び騒音抑制部を備えている。複数の筐体は、巻線及び鉄心を含むモジュールをそれぞれ収容し互いに隙間を空けた状態で配列されている。騒音抑制部は、複数の筐体どうしの互いに対向する部位にそれぞれ設けられている。また、騒音抑制部は、前記対向する部位の下側よりも上側がより離れるように傾斜した傾斜面を有している。
【図面の簡単な説明】
【０００８】
【図１】第１の実施形態に係る静止誘導電器を一部断面で示す正面図。
【図２】図１の静止誘導電器が備えたタンクを遮音板の傾斜面側からみた側面図。
【図３】第２の実施形態に係る静止誘導電器の主要部分を一部断面で示す正面図。
【図４】図３に示す静止誘導電器のＡ−Ａ断面図。
【図５】第３の実施形態に係る静止誘導電器の主要部分を一部断面で示す正面図。
【図６】図５の静止誘導電器が備えたタンクを遮音板の傾斜面側からみた側面図。
【図７】第４の実施形態に係る静止誘導電器の主要部分を一部断面で示す正面図。
【図８】図７の静止誘導電器が備えたタンクを遮音板の傾斜面側からみた側面図。
【図９】第５の実施形態に係る静止誘導電器の主要部分を一部断面で示す正面図。
【図１０】第６の実施形態に係る静止誘導電器の主要部分を一部断面で示す正面図。
【図１１】第７の実施形態に係る静止誘導電器の主要部分を一部断面で示す正面図。
【図１２】第１〜第７の実施形態の静止誘導電器が備えた遮音板に改良を加えた他の遮音板を示す平面図。
【図１３】図１２に示す遮音板の側面図。
【図１４】さらに他の実施形態に係る静止誘導電器を一部断面で示す正面図。
【発明を実施するための形態】
【０００９】
以下、実施の形態を図面に基づき説明する。
［第１の実施の形態］
図１、図２に示すように、この実施形態に係る静止誘導電器１０は、発電所や変電所で用いられる分割形の三相変圧器である。分割形のこの静止誘導電器１０は、運搬作業や据付作業の際の負担を軽減できる利点を有している。
【００１０】
静止誘導電器１０は、図１に示すように、直方体状の筐体である複数（三つ）のタンク１、２、３を備えている。タンク１、２、３は、基礎６上にそれぞれ設置されており、互いに隙間を空けた状態で直列的に配列されている。タンク１、２、３は、内部に絶縁媒体を充填する際、真空引きされた状態で使用されるため、図１、図２に示すように、タンクどうしの対向する部位（側面１ａ、２ａ、２ｂ、３ａ）を含む当該各タンクの外形部分には、角管状の上部補強ビーム９及び下部補強ビーム１２が各タンクの補強部材としてそれぞれ接合されている。
【００１１】
より具体的には、上部補強ビーム９及び下部補強ビーム１２は、タンク１、２、３が有する所定の側面の上部側、下部側にそれぞれ接合されている。個々のタンク１、２、３内には、それぞれ、巻線（コイル）５ｂ、鉄心５ａ、ヨークなどを含む一相分のコイルモジュール（コイルユニット）５が絶縁媒体と共に収容されている。絶縁媒体としては、ＳＦ6ガスなどに代表される絶縁ガスや鉱油やシリコン油などに代表される絶縁油が適用される。
【００１２】
タンク１、２、３内にそれぞれ分割して収容された第一相から第三相までの巻線５ｂからは、高圧リードや低圧リードを含むリード線がタンク１、２、３の外部に引き出される。外部に引き出されたこれらのリード線は、タンク間に架け渡されたダクト（図示せず）内を通して互いに結線されている。
【００１３】
静止誘導電器１０は、このような構造上の制約から、図１に示すように、隣り合うタンク１、２どうし及びタンク２、３どうしが、発電所内や変電所内の作業者が通れる例えば１ｍ程度の隙間を空け、互いが近接した状態で各々配置されている。
【００１４】
ここで、静止誘導電器１０は、その稼働時において、タンク１、２、３内のコイルモジュール５が電磁力にて振動し、このため各タンクの周囲に振動音が発生する。さらに、この場合、上記の近接したタンク間で反射した振動音が重なり合って共鳴現象が誘発されることなども懸念される。
【００１５】
そこで、本実施形態の静止誘導電器１０は、図１、図２に示すように、騒音抑制部７を備えている。騒音抑制部７は、タンク１、２、３どうしの互いに対向する部位にそれぞれ設けられている。それぞれの騒音抑制部７は、この対向部分の下側よりも上側がより離れるように傾斜した傾斜面８ｅを有している。また、本実施形態の静止誘導電器１０は、各騒音抑制部７を遮音部材８によって実現している。
【００１６】
遮音部材８は、図１、図２に示すように、第１の遮音板としての平板形状の遮音板８ａ、及び第４の遮音板として機能する平板形状の遮音板８ｂ、８ｃ、８ｄを備えている。鉄板や鋼板などを材料とする遮音板８ａ〜８ｄは、音が遮音板本体を透過するときの音の低減効果、すなわち透過損失によってタンクの側面から放出された音を低減させる。
【００１７】
さらに、遮音板８ａは、図１に示すように、前述した傾斜面８ｅを構成すると共に、タンク１、２、３どうしの対向する部位（側面１ａ、２ａ、２ｂ、３ａ）に遮音板８ｂ、８ｃ、８ｄを介してそれぞれ取り付けられている。遮音板８ｂ、８ｃ、８ｄは、タンク１、２、３の側面１ａ、２ａ、２ｂ、３ａ及び遮音板８ａと協働して、タンク１、２、３と遮音板８ａとの間に密閉空間を構成する。
【００１８】
図１に示すように、タンク１、２、３どうしの間で、互い対向する傾斜面８ｅを持つ一組の遮音板８ａは、その断面を逆ハの字にした姿勢で配置されることになる。したがって、静止誘導電器１０の稼働時において、タンク１、２、３の側面１ａ、２ａ、２ｂ、３ａから遮音板８ａを透過した騒音は、当該騒音の透過した一方の（例えばタンク１の）遮音板８ａと対向する他方の（例えばタンク２の）遮音板８ａへ一部入射（遮音板内を一部が透過）する。残りの騒音は、この他方の遮音板８ａで反射し、対向する前記一方の遮音板８ａのやや上方側へ一部入射される。
【００１９】
さらに残りの騒音は、この一方の遮音板８ａのやや上方側で反射し、対向する前記他方の遮音板８ａのさらにやや上方側へ入射される。そして、この現象が何度か繰り返されることで、タンク１、２、３の上方へ騒音を逃がすことができ、しかも、タンク１、２、３の間で騒音が継続的に反射し続けることが回避される。これにより、共鳴現象（ビルドアップ）の発生を抑えることができる。また、共鳴現象の発生が抑えられている状況、すなわち、遮音板８ａ間において騒音の入反射位置を上方に遷移させながらのこの騒音の入反射の過程で、透過損失により騒音自体を実質的に低減させることができる。
【００２０】
ここで、図１に示すように、静止誘導電器１０を正面方向からみて、鉛直方向に起立する仮想平面と遮音板８ａにおける傾斜面８ｅとがなす角度α°は、少なくとも４°以上１５°以下の範囲内にあることが望ましい。つまり、角度α°が４°未満の場合、対向する遮音板間で共鳴現象が生じる可能性があり、一方、角度α°が１５°を超える場合、遮音板間での反射音をタンクの上方へと効果的に誘導することが難しくなる。
【００２１】
既述したように、本実施形態の静止誘導電器１０では、タンク１、２、３から生じた騒音を遮音板８ａ間で入反射させる過程で低減しつつ、しかもこの低減された騒音をタンクの上方へ逃がすことが可能なので、共鳴現象の発生を抑制することができる。また、静止誘導電器１０では、平板形状の遮音板８ａを傾斜させて配置するといった簡易な構成で、効果的な騒音抑制効果を得ることができるので、製造コストの低減を図ることができる。したがって、本実施形態の静止誘導電器１０によれば、低騒音化を合理的に実現することができる。
【００２２】
［第２の実施の形態］
次に、第２の実施形態を図３、図４に基づき説明する。なお、図３、図４において、図１、図２に示した第１の実施形態中の構成要素と同一の構成要素については、同一の符号を付与し重複する説明を省略する。
【００２３】
図３、図４に示すように、本実施形態の静止誘導電器２０は、第１の実施形態の静止誘導電器１０が備えていた騒音抑制部７に代えて、騒音抑制部２７を備えている。騒音抑制部２７は、対向するタンク間において一組単位で用いる第２の遮音板としての平板形状の遮音板２８ｂと、第３の遮音板として機能する平板形状の遮音板２８ｄと、を騒音抑制部７（遮音部材８）の構成に加えてさらに備えている。
【００２４】
一組の遮音板２８ｂは、図４に示すように、下側よりも上側がより離れるように傾斜した傾斜面２８ｅをそれぞれ有している。さらに、一組の遮音板２８ｂは、互いに対向する一組の遮音板８ａと協働して当該一組の遮音板８ａどうしの間の逆四角錐状の空間２７ａの側面全周を包囲する。具体的には、一組の遮音板２８ｂは、互いに対向する位置に配置されている。さらに、一組の遮音板２８ｂと一組の遮音板８ａとの間の辺部どうしは、溶接などによって互いに接合されている。
【００２５】
ここで、図４に示すように、静止誘導電器２０を遮音板８ａの傾斜面８ｅ（例えばタンク１の側面１ａ）側からみて、鉛直方向に起立する仮想平面と遮音板２８ｂにおける傾斜面２８ｅとがなす角度β°は、図１に示す遮音板８ａにおける傾斜面８ｅの角度α°と同じ角度で構成されている。
【００２６】
一方、遮音板２８ｄは、一組の遮音板２８ｂ及び一組の遮音板８ａによって側面全周が包囲された逆四角錐状の空間２７ａの低面を塞ぐ位置に配置されている。詳細には、遮音板２８ｄは、合計四つの遮音板２８ｂ、８ａの下端部に例えば溶接されている。これにより、図３、図４に示すように、逆四角錐状の空間２７ａの上面以外が遮音板で囲われる構成となる。
【００２７】
このように、本実施形態の静止誘導電器２０では、タンク１、２、３の側面１ａ、２ａ、２ｂ、３ａから放出された騒音を、遮音板８ａ間及び遮音板２８ｂ間を入反射させる過程で透過損失により低減しつつ、さらに、この低減された騒音を囲われたタンク間から放出させることなくタンクの上方へ逃すことができる。したがって、静止誘導電器２０によれば、共鳴現象の発生を抑えながら、より優れた騒音抑制効果を期待できる。
【００２８】
［第３の実施の形態］
次に、第３の実施形態を図５、図６に基づき説明する。なお、図５、図６において、図１、図２に示した第１の実施形態中の構成要素と同一の構成要素については、同一の符号を付与し重複する説明を省略する。
【００２９】
図５、図６に示すように、本実施形態の静止誘導電器３０は、第１の実施形態の静止誘導電器１０が備えていた騒音抑制部７（遮音部材８）に代えて、複数の遮音部材３５、３６、３７を含む騒音抑制部３９を備えている。騒音抑制部３９を構成する各遮音部材３５、３６、３７は、静止誘導電器３０の遮音板８ａに代えて、タンク１、２、３どうしの対向する部位（側面１ａ、２ａ、２ｂ、３ａ）のそれぞれに複数個ずつ分割して取り付けられた平板形状の遮音板３５ａ、３６ａ、３７ａを、第１の遮音板として備えている。
【００３０】
遮音板３５ａ、３６ａ、３７ａは、タンク間の対向部分の下側よりも上側がより離れるように傾斜した傾斜面３５ｅ、３６ｅ、３７ｅをそれぞれ有している。傾斜面３５ｅ、３６ｅ、３７ｅの角度は、図５に示すように、静止誘導電器３０を正面方向からみて、図１に示した遮音板８ａにおける傾斜面８ｅの角度α°と同じ角度で構成されている。
【００３１】
遮音部材３５、３６、３７は、タンク１、２、３、上部補強ビーム９、下部補強ビーム１２、及び遮音板３５ａ、３６ａ、３７ａとそれぞれ協働して、タンク１、２、３の側面１ａ、２ａ、２ｂ、３ａと遮音板３５ａ、３６ａ、３７ａとの間にそれぞれ密閉空間を構成する複数の遮音板をさらに備えている。
【００３２】
遮音部材３５は、図５、図６に示すように、タンク間で対向している上部補強ビーム９のほぼ全体を覆う位置に配置されている。遮音部材３７は、タンク間で対向している下部補強ビーム１２のほぼ全体を覆う位置に配置されている。遮音部材３６は、遮音部材３５と遮音部材３７との間に配置されている。
【００３３】
このように構成された本実施形態の静止誘導電器３０では、傾斜面を有する遮音板を分割構造にしたことで、個々の遮音板のサイズを小さく抑えることができる。これにより、静止誘導電器３０によれば、遮音板の製造コストを低減することができ、さらには、この小サイズの遮音板が接合されることでタンク自体も小型化され、タンクの運搬時や取付時の作業性を向上させることできる。
【００３４】
［第４の実施の形態］
次に、第４の実施形態を図７、図８に基づき説明する。なお、図７、図８において、図５、図６に示した第３の実施形態中の構成要素と同一の構成要素については、同一の符号を付与し重複する説明を省略する。
【００３５】
図７、図８に示すように、本実施形態の静止誘導電器４０は、第３の実施形態の静止誘導電器３０が備えていた遮音部材３５、３６、３７を含む騒音抑制部３９に代えて、遮音部材４５、４６、４７を含む騒音抑制部４９を備えている。遮音部材４５、４６、４７は、遮音板３５ａ、３６ａ、３７ａに代えて、傾斜面４５ｅ、４６ｅ、４７ｅを有する遮音板４５ａ、４６ａ、４７ａを備えている。
【００３６】
図７に示すように、傾斜面４５ｅ、４６ｅ、４７ｅは、図１に示した傾斜面８ｅの角度α°及び図５に示した傾斜面３５ｅ、３６ｅ、３７ｅの角度と、同じ関係の角度で構成されている。遮音部材４５、４６、４７は、タンク１、２、３、上部補強ビーム９、下部補強ビーム１２、及び遮音板４５ａ、４６ａ、４７ａとそれぞれ協働して、タンク１、２、３の側面１ａ、２ａ、２ｂ、３ａと遮音板４５ａ、４６ａ、４７ａとの間にそれぞれ密閉空間を構成する複数の遮音板をさらに備えている。
【００３７】
図７、図８に示すように、遮音部材４５は、タンク間で対向している上部補強ビーム９の上部側に配置されている。遮音部材４７は、タンク間で対向している下部補強ビーム１２の底部（下部）側に配置されている。遮音部材４６は、遮音部材４５と遮音部材４７との間に配置されている。つまり、遮音板４５ａ、４６ａ、４７ａは、上部補強ビーム９及び下部補強ビーム１２を避けた位置（上部補強ビーム９及び下部補強ビーム１２におけるタンク間で対向している対向面を覆わない位置）にそれぞれ取り付けられている。
【００３８】
詳述すると、上部補強ビーム９及び下部補強ビーム１２は、機械的強度（剛性）を高めるために、タンク本体の材料と比べて比重の大きい材料を選択して構成されている。これにより、補強ビーム自体は、振動し難くこれに伴い騒音も発生し難いものと考えられる。この点を踏まえて、上部補強ビーム９及び下部補強ビーム１２を避けた位置に遮音板４５ａ、４６ａ、４７ａを配置する構成、すなわち、遮音板４５ａ、４６ａ、４７ａをより小さいサイズにする構成を採用している。
【００３９】
したがって、本実施形態の静止誘導電器４０によれば、所望の騒音抑制効果を確保しつつ、遮音板とタンクとを含む構造体（部品）のサイズを小さく抑えることができるので、この部品の運搬時やその取り付け時の作業性のさらなる向上を図ることができる。また、静止誘導電器４０によれば、遮音板の上述した縮小化によって、遮音板の製造コストをより低減させることができる。
【００４０】
なお、本実施形態の静止誘導電器４０及び第３の実施形態の静止誘導電器３０の構成に対して、第２の実施形態の図３、図４に示した遮音板２８ｂ及び遮音板２８ｄと同様の機能を有する遮音板を追加し、これによりタンクどうしの間の空間の側面全周及び低面を囲い、騒音抑制効果を高めるようにしてもよい。
【００４１】
［第５の実施の形態］
次に、第５の実施形態を図９に基づき説明する。なお、図９において、図１、図２に示した第１の実施形態中の構成要素と同一の構成要素については、同一の符号を付与し重複する説明を省略する。
【００４２】
図９に示すように、本実施形態の静止誘導電器５０は、第１の実施形態の静止誘導電器１０が備えていた騒音抑制部７に代えて、騒音抑制部５７を備えている。騒音抑制部５７は、騒音抑制部７（遮音部材８）の構成に加え、吸音材５５をさらに備えている。吸音材５５は、タンク１、２、３（タンクの側面１ａ、２ａ、２ｂ、３ａ）と遮音板８ａとの間に介在されている。
【００４３】
吸音材５５には、グラスウールやロックウールなどが適用されている。吸音材５５は、タンク１、２、３の側面１ａ、２ａ、２ｂ、３ａと遮音板８ｃと一組の遮音板８ｂと遮音板８ｄとで囲われた密閉空間内に配置されている。より具体的には、吸音材５５は、遮音板８ａの内側に取り付けられている。
【００４４】
このように構成された本実施形態の静止誘導電器５０では、吸音材５５が音響エネルギを吸収する効果が加えられることで、遮音板８ａの内側を音が透過する際の透過損失がより大きくなる。したがって、静止誘導電器５０によれば、共鳴現象の発生などが効果的に抑えられ、高い防音効果を得ることができる。
【００４５】
なお、上述したような吸音材を、図５、図６に示した遮音部材３５、３６、３７の遮音板３５ａ、３６ａ、３７ａと、タンク１、２、３の側面１ａ、２ａ、２ｂ、３ａと、の間に介在させてもよい。さらには、図７、図８に示した遮音部材４５、４６、４７の遮音板４５ａ、４６ａ、４７ａと、タンク１、２、３の側面１ａ、２ａ、２ｂ、３ａと、の間に介在させるようにしてもよい。
【００４６】
［第６の実施の形態］
次に、第６の実施形態を図１０に基づき説明する。なお、図１０において、図１、図２に示した第１の実施形態中の構成要素と同一の構成要素については、同一の符号を付与し重複する説明を省略する。
【００４７】
図１０に示すように、本実施形態の静止誘導電器６０は、第１の実施形態の静止誘導電器１０が備えていた騒音抑制部７に代えて、騒音抑制部６７を備えている。騒音抑制部６７は、騒音抑制部７（遮音部材８）の構成に加え、タンク１、２、３（タンクの側面１ａ、２ａ、２ｂ、３ａ）と遮音板８ａとの間の密閉空間内に充填された流動性を有する物質として液体６５をさらに有している。より具体的には、この液体６５は、上部補強ビーム９及び下部補強ビーム１２の内部にも充填されている。
【００４８】
ここで、液体６５は、空気などの気体に比べて密度の大きな物質である。液体６５中を音が伝わる場合には液体６５を振動させる必要があり、大きなエネルギを要する。そのため、空気中などよりも音の減衰が大きくなる。また、仮に、液体中に大きな音響出力の音源があって高いレベルの音を出していたとしても、空気などの気体と液体との固有音響抵抗の差が大きいため、音はその接触面（境界面）においてほとんどが反射し、空気中（遮音板の外側）へほとんど出てこない。このため、空気中での騒音レベルを抑えることができる。
【００４９】
したがって、本実施形態の静止誘導電器６０によれば、液体６５が音を減衰させる作用が相まって騒音の発生をより効果的に抑制することができる。なお、液体６５に代えて、液体と粒子状の固体との混合物や、液体と固体との中間的性質を持つ流動性を有する物質を上記密閉空間内に充填するようにしてもよい。また、液体６５や前記の流動性を有する物質を、図５、図６に示した遮音部材３５、３６、３７の密閉空間内又は図７、図８に示した遮音部材４５、４６、４７の密閉空間内に充填してもよい。
【００５０】
［第７の実施の形態］
次に、第７の実施形態を図１１に基づき説明する。なお、図１１において、図１、図２に示した第１の実施形態中の構成要素と同一の構成要素については、同一の符号を付与し重複する説明を省略する。
【００５１】
図１１に示すように、本実施形態の静止誘導電器７０は、第１の実施形態の静止誘導電器１０が備えていた騒音抑制部７に代えて、騒音抑制部７７を備えている。騒音抑制部７７は、第１の実施形態の遮音部材８に対応した遮音板７８ａを有する遮音部材７８を、タンク１、２、３の側面１ａ、２ａ、２ｂ、３ａに対して、着脱可能に接続する着脱機構７９を備えている。
【００５２】
着脱機構７９は、図１１に示すように、ボルト７６、及びこのボルト７６を用いて遮音部材７８の上部及び下部を、タンクの側面に締結するためのねじ穴を有している。さらに、騒音抑制部７７は、ゴムやバネなどで構成された弾性体７４と、例えばゴム製のチューブやパッキンなどで構成されたシール材７５と、を備えている。
【００５３】
弾性体７４は、ボルト７６による締結力によって、図１１に示すように、遮音部材７８の上部及び下部とタンクの側面との間に挟持されている。シール材７５は、弾性体７４を介在させたことで生じた隙間を塞ぐように、タンクの側面と遮音部材７８の外縁部との間に取り付けられている。
【００５４】
なお、第１の遮音板として機能する遮音板７８ａを含む遮音部材７８は、タンクの側面に対し弾性体７４を介してフローティング支持された構造となる。さらに、弾性体７４と遮音部材７８とからなる振動系で生じ得る振動を、極力抑えることの可能な理想的な１自由度系に近付けるように、弾性体７４のバネ定数や遮音部材７８自体の質量が適宜設定されている。
【００５５】
このように構成された本実施形態の静止誘導電器７０では、良好な騒音抑制効果が得られる一方で、タンク１、２、３に対し遮音部材７８を取り付け及び取り外し可能な構造を設けたことで、部品の運搬作業や現地での据付作業の負担を軽減することができる。なお、静止誘導電器７０は、据付作業時などにおいて、マンホールなどの他の騒音発生部分にも遮音部材を取付けることが可能となり利便性に優れている。
【００５６】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【００５７】
ここで、第１〜第７の実施形態の静止誘導電器が備えていた傾斜面を有する遮音板として、図１２、図１３に示す構造の遮音板８８を適用することも可能である。この遮音板８８は、遮音板８８本体の板厚方向に突出する補強リブ８５を備えている。この補強リブ８５は、遮音板８８本体の表面上に、一組の帯状の板材を互いに直交させるようにして溶接することで構成されている。なお、構造の簡略化のために帯状の一枚の板材を遮音板本体の表面に溶接するようにしてもよい。上記したように、補強リブを設けた遮音板を適用することで、遮音板の剛性が高まり遮音板自体に生じ得る振動を抑制できる。この結果、静止誘導電器の騒音抑制効果を向上させることができる。
【００５８】
また、図１４に示すように、静止誘導電器９０を実施の形態とすることも可能である。静止誘導電器９０は、遮音板を備えておらず、また、第１〜第７の実施形態のタンク１、２、３に代えて、タンク９１、９２、９３を備えている。静止誘導電器９０は、タンク９１、９２、９３どうしの対向する部位（対向するタンクの側面）を傾斜させ、傾斜させたこの傾斜面９１ａ、９２ａ、９３ａによって騒音抑制部９７を構成している。
【００５９】
ここで、図１４に示すように、静止誘導電器９０を正面方向からみて、傾斜面９１ａ、９２ａ、９２ｂ、９３ａは、図１に示した遮音板８ａにおける傾斜面８ｅの角度α°と同じ角度で構成されている。したがって、この静止誘導電器９０においても、タンク間に生じた騒音をタンク９１、９２、９３の上方へ逃がすことが可能となり、共鳴現象の発生を抑制する効果が得られる。
【００６０】
また、第１〜第７の実施形態では、分割形の静止誘導電器として、タンクが三つに分割されたものを例示したが、タンクは二つに分割されるものであってもよいし、四つ以上に分割されるものであってもよい。また、直列的にタンクが配列される静止誘導電器を例示したが、複数のタンクは例えば縦横それぞれに複数個ずつ並ぶように配列されていてもよい。また、上述した実施形態では、分割形の変圧器を例として挙げたが、分割形のリアクトルを実施形態とすることも可能である。
【符号の説明】
【００６１】
１０，２０，３０，４０，５０，６０，７０，９０…静止誘導電器、１，２，３，９１９２，９３…タンク、１ａ，２ａ，２ｂ，３ａ…タンクの側面、５…コイルモジュール、５ａ…鉄心、５ｂ…巻線、７，２７，３９，４９，５７，６７，７７，９７…騒音抑制部、８，３５，３６，３７，４５，４６，４７…遮音部材、８ａ，８ｂ，８ｃ，８ｄ，２８ｂ，２８ｄ，３５ａ，３６ａ，３７ａ，４５ａ，４６ａ，４７ａ，７８ａ，８８…遮音板、８ｅ，２８ｅ，３５ｅ，３６ｅ，３７ｅ，４５ｅ，４６ｅ，４７ｅ，９１ａ，９２ａ，９２ｂ，９３ａ…傾斜面、９…上部補強ビーム、１２…下部補強ビーム、２７ａ…逆四角錐状の空間、５５…吸音材、６５…液体。
【図１】
2013143476.tif 000003
【図２】
2013143476.tif 000004
【図３】
2013143476.tif 000005
【図４】
2013143476.tif 000006
【図５】
2013143476.tif 000007
【図６】
2013143476.tif 000008
【図７】
2013143476.tif 000009
【図８】
2013143476.tif 000010
【図９】
2013143476.tif 000011
【図１０】
2013143476.tif 000012
【図１１】
2013143476.tif 000013
【図１２】
2013143476.tif 000014
【図１３】
2013143476.tif 000015
【図１４】
2013143476.tif 000016